(57)【要約】【課題】目標の色の再現が可能なモニタか否かを判定する。【解決手段】モニタへ入力ＲＧＢ値を入力したときのそのモニタの測色により得られる測色ＸＹＺ値のうちの、少なくとも、白を表わす白ＲＧＢ値をモニタに入力したときにそのモニタに表示される白の測色により得られる白ＸＹＺ値を取得するＸＹＺ値取得部４１と、ＸＹＺ値取得部４１で取得したＸＹＺ値に基づいて、モニタの色再現領域の、少なくとも白近傍の輪郭を算出する輪郭算出部４２と、白の目標ＸＹＺ値がモニタの色再現領域内に入っているか否かに応じて、現在の設定におけるモニタで色再現目標（目標輝度と目標色温度）が再現可能であるか否かを判定する再現可否判定部４３とを備えた。【選択図】図４
2018046398.tif 000002
【特許請求の範囲】
【請求項１】
画像表示装置へ入力値を入力したときの該画像表示装置の測色により得られる測色値のうちの、少なくとも、白を表わす入力値である白入力値を該画像表示装置に入力したときに該画像表示装置に表示される白の測色により得られる白測色値を取得する測色値取得部と、
前記測色値取得部で取得した測色値に基づいて、前記画像表示装置の色再現領域の、少なくとも白近傍の輪郭を算出する輪郭算出部と、
予め定められた白の目標測色値が前記色再現領域内に入っているか否かに応じて、現在の設定における前記画像表示装置で該予め定められた白が再現可能な白であるか否かを判定する再現可否判定部とを備えたことを特徴とする再現可否判定装置。
【請求項２】
画像表示装置へ入力値を入力したときの該画像表示装置の測色により得られる測色値のうちの、少なくとも、白を表わす入力値である白入力値を該画像表示装置に入力したときに該画像表示装置に表示される白の測色により得られる白測色値を取得する測色値取得部と、
前記測色値取得部で取得した測色値に基づいて、前記色再現領域内の各点の、入力値と測色値との間の対応関係を算出する対応関係算出部と、
前記対応関係算出部で算出された対応関係に基づいて、予め定められた白の目標測色値に対応する評価対象白入力値を算出する評価対象白入力値算出部と、
前記評価対象白入力値算出部で算出された前記評価対象白入力値が前記画像表示装置の入力値として再現可能な範囲内の値であるか否かに応じて、現在の設定における前記画像表示装置で前記予め定められた白が再現可能な白であるか否かを判定する再現可否判定部とを備えたことを特徴とする再現可否判定装置。
【請求項３】
前記対応関係算出部が、前記測色値取得部で取得した測色値に基づいて、前記色再現領域内の各点の、入力値と測色値との対応関係を表わす変換マトリックスを算出し、
前記評価対象白入力値算出部が、前記対応関係算出部で算出された変換マトリックスに基づいて、予め定められた白の目標測色値に対応する評価対象白入力値を算出することを特徴とする請求項２に記載の再現可否判定装置。
【請求項４】
前記対応関係算出部が、前記測色値取得部で取得した測色値にに基づいて、白入力値と白測色値との組合せについての階調曲線、および、入力値を構成する各入力変数と測色値を構成する各測色変数との各組合せについての階調曲線を算出するとともに、該階調曲線に基づいて、前記色再現領域内の各点の入力値と測色値との対応関係を表わす線形回帰モデルを作成し、
前記評価対象白入力値算出部が、前記対応関係算出部で算出された線形回帰モデルに基づいて、予め定められた白の目標測色値に対応する評価対象白入力値を算出することを特徴とする請求項２に記載の再現可否判定装置。
【請求項５】
請求項２に記載の再現可否判定装置と、
前記再現可否判定部による、現在の設定における前記画像表示装置では前記予め定められた白が再現不可能であるとの判定を受けて、前記対応関係算出部に、前記測色値取得部で取得された前記白測色値を採用することに代えて、該白測色値と比べ色温度を変化させずに輝度を変化させた新たな白測色値を採用したときの、前記色再現領域内の各点の入力値と測色値との間の新たな対応関係を算出させるとともに、前記評価対象白入力値算出部に、該新たな対応関係に基づく、前記予め定められた白の目標測色値に対応する新たな評価対象白入力値を算出させて、前記再現可否判定部に、該新たな評価対象白入力値が前記画像表示装置の入力値として再現可能な範囲内の値であるか否かを判定させる過程を経て、目標色温度を再現した上での目標輝度の再現が可能な輝度を算出する輝度算出部と、
前記輝度算出部で算出された輝度を提示する輝度提示部とを備えたことを特徴とする輝度提示装置。
【請求項６】
請求項２に記載の再現可否判定装置と、
前記再現可否判定部による、現在の設定における前記画像表示装置では前記予め定められた白が再現不可能であるとの判定を受けて、前記測色値取得部で取得した前記白測色値と前記評価対象白入力値算出部で算出された前記評価対象白入力値とに基づくとともに階調特性を考慮して、目標色温度を再現した上での目標輝度の再現が可能な輝度を算出する輝度算出部と、
前記輝度算出部で算出された輝度を提示する輝度提示部とを備えたことを特徴とする輝度提示装置。
【請求項７】
画像表示装置へ入力値を入力したときの該画像表示装置の測色により得られる測色値のうちの、少なくとも、白を表わす入力値である白入力値を該画像表示装置に入力したときに該画像表示装置に表示される白の測色により得られる白測色値を取得する測色値取得部と、
前記測色値取得部で取得した測色値に基づいて、前記色再現領域内の各点の、入力値と測色値との間の対応関係を算出する対応関係算出部と、
前記対応関係算出部で算出された対応関係に基づいて、予め定められた白の目標測色値に対応する評価対象白入力値を算出する評価対象白入力値算出部と、
前記測色値取得部で得られた前記白測色値が表わす色温度である測色色温度と前記目標測色値が表わす色温度である目標色温度との比率に基づいて前記白入力値を変換することにより、前記目標色温度を達成する目標色温度白入力値を算出する目標色温度白入力値算出部と、
前記評価対象白入力値を前記測色色温度に対応づけるとともに前記目標色温度白入力値を前記目標色温度に対応づけたときの関係式に基づいて、前記画像表示装置の入力値として再現可能な範囲内の値が得られる色温度を算出する色温度算出部と、
前記色温度算出装置で算出された色温度を提示する色温度提示部とを備えたことを特徴とする色温度提示装置。
【請求項８】
プログラムを実行する情報処理装置内で実行され、該情報処理装置を、
画像表示装置へ入力値を入力したときの該画像表示装置の測色により得られる測色値のうちの、少なくとも、白を表わす入力値である白入力値を該画像表示装置に入力したときに該画像表示装置に表示される白の測色により得られる白測色値を取得する測色値取得部と、
前記測色値取得部で取得した測色値に基づいて、前記画像表示装置の色再現領域の、少なくとも白近傍の輪郭を算出する輪郭算出部と、
予め定められた白の目標測色値が前記色再現領域内に入っているか否かに応じて、現在の設定における前記画像表示装置で該予め定められた白が再現可能な白であるか否かを判定する再現可否判定部とを備えた再現可否判定装置として動作させることを特徴とする再現可否判定プログラム。
【請求項９】
プログラムを実行する情報処理装置内で実行され、該情報処理装置を、
画像表示装置へ入力値を入力したときの該画像表示装置の測色により得られる測色値のうちの、少なくとも、白を表わす入力値である白入力値を該画像表示装置に入力したときに該画像表示装置に表示される白の測色により得られる白測色値を取得する測色値取得部と、
前記測色値取得部で取得した測色値に基づいて、前記色再現領域内の各点の、入力値と測色値との間の対応関係を算出する対応関係算出部と、
前記対応関係算出部で算出された対応関係に基づいて、予め定められた白の目標測色値に対応する評価対象白入力値を算出する評価対象白入力値算出部と、
前記評価対象白入力値算出部で算出された前記評価対象白入力値が前記画像表示装置の入力値として再現可能な範囲内の値であるか否かに応じて、現在の設定における前記画像表示装置で前記予め定められた白が再現可能な白であるか否かを判定する再現可否判定部とを備えた再現可否判定装置として動作させることを特徴とする再現可否判定プログラム。
【請求項１０】
プログラムを実行する情報処理装置内で実行され、該情報処理装置を、
請求項９に記載の再現可否判定プログラムによって該情報処理装置内に構築される再現可否判定装置を備えるとともに、さらに
前記再現可否判定部による、現在の設定における前記画像表示装置では前記予め定められた白が再現不可能であるとの判定を受けて、前記対応関係算出部に、前記測色値取得部で取得された前記白測色値を採用することに代えて、該白測色値と比べ色温度を変化させずに輝度を変化させた新たな白測色値を採用したときの、前記色再現領域内の各点の入力値と測色値との間の新たな対応関係を算出させるとともに、前記評価対象白入力値算出部に、該新たな対応関係に基づく、前記予め定められた白の目標測色値に対応する新たな評価対象白入力値を算出させて、前記再現可否判定部に、該新たな評価対象白入力値が前記画像表示装置の入力値として再現可能な範囲内の値であるか否かを判定させる過程を経て、目標色温度を再現した上での目標輝度の再現が可能な輝度を算出する輝度算出部と、
前記輝度算出部で算出された輝度を提示する輝度提示部とを備えた輝度提示装置として動作させることを特徴とする輝度提示プログラム。
【請求項１１】
プログラムを実行する情報処理装置内で実行され、該情報処理装置を、
請求項９に記載の再現可否判定プログラムによって該情報処理装置内に構築される再現可否判定装置を備えるとともに、さらに
前記再現可否判定部による、現在の設定における前記画像表示装置では前記予め定められた白が再現不可能であるとの判定を受けて、前記測色値取得部で取得した前記白測色値と前記評価対象白入力値算出部で算出された前記評価対象白入力値とに基づくとともに階調特性を考慮して、目標色温度を再現した上での目標輝度の再現が可能な輝度を算出する輝度算出部と、
前記輝度算出部で算出された輝度を提示する輝度提示部とを備えた輝度提示装置として動作させることを特徴とする輝度提示プログラム。
【請求項１２】
プログラムを実行する情報処理装置内で実行され、該情報処理装置を、
画像表示装置へ入力値を入力したときの該画像表示装置の測色により得られる測色値のうちの、少なくとも、白を表わす入力値である白入力値を該画像表示装置に入力したときに該画像表示装置に表示される白の測色により得られる白測色値を取得する測色値取得部と、
前記測色値取得部で取得した測色値に基づいて、前記色再現領域内の各点の、入力値と測色値との間の対応関係を算出する対応関係算出部と、
前記対応関係算出部で算出された対応関係に基づいて、予め定められた白の目標測色値に対応する評価対象白入力値を算出する評価対象白入力値算出部と、
前記測色値取得部で得られた前記白測色値が表わす色温度である測色色温度と前記目標測色値が表わす色温度である目標色温度との比率に基づいて前記白入力値を変換することにより、前記目標色温度を達成する目標色温度白入力値を算出する目標色温度白入力値算出部と、
前記評価対象白入力値を前記測色色温度に対応づけるとともに前記目標色温度白入力値を前記目標色温度に対応づけたときの関係式に基づいて、前記画像表示装置の入力値として再現可能な範囲内の値が得られる色温度を算出する色温度算出部と、
前記色温度算出装置で算出された色温度を提示する色温度提示部とを備えた色温度提示装置として動作させることを特徴とする色温度提示プログラム。
【発明の詳細な説明】
【技術分野】
【０００１】
本発明は、再生可否判定装置、輝度提示装置、色温度提示装置、再生可否判定プログラム、輝度提示プログラム、および色温度提示プログラムに関する。
【背景技術】
【０００２】
従来より、例えばディスプレイあるいはモニタと称される画像表示装置に表示される画像の色を校正する、いわゆるカラーマネジメントが行われている。このカラーマネジメントでは、一般的に、その画像表示装置の入力データを様々に変化させてその画像表示装置に様々な色の画像を表示させ、その様々な色の画像を測色計で測色し、その画像表示装置
で所望の色の画像が表示されるように入力データを変換する色変換プロファイルが作成される。
【０００３】
しかしながら、カラーマネジメントを実行するにあたっては、そのカラーマネジメントの対象となる画像表示装置がそもそも目標としている輝度や色温度の再現が可能な画像形成装置であるか、あるいは、その画像表示装置が目標としている輝度や色温度の再現が可能な状態に調整されているか否かを、そのカラーマネジメントの実行に先だって知る必要がある。
【０００４】
ここで、特許文献１には、ＲＧＢの各飽和色を測色しＲＧＢとＸＹＺとの差分値から調整ＲＧＢ値を算出することで、カラーマネジメントを効率的に実行することが開示されている。
【先行技術文献】
【特許文献】
【０００５】
【特許文献１】特開２００５−３２８３８６号公報
【発明の概要】
【発明が解決しようとする課題】
【０００６】
ここで、カラーマネジメントに先だって、対象となる画像表示装置の例えば輝度を測定して、その測定した輝度が目標としている輝度であればそれで十分という訳ではない。対象となる画像表示装置の色温度が目標の色温度からずれている場合、その画像表示装置への入力データで色温度を調整すると輝度が低下することになる。すなわち、画像表示装置の色温度と目標の色温度との間にずれがあった場合には、そのずれを考慮した上で輝度が十分か否かを判定する必要がある。
【０００７】
上掲の特許文献１は、対象となる画像表示装置が十分な画像表示性能を有していることを前提として、色変換プロファイル作成処理の効率化を図る提案であり、対象となる画像表示装置が十分な画像表示性能を有しているか否かを知る技術ではない。
【０００８】
本発明は、上記事情に鑑み、対象となる画像表示装置が画像表示性能として重要な、目標の白を再現できるか否かを判定することのできる再生可否判定装置および再生可否判定プログラム、並びに、調整すべき輝度あるいは色温度を提示する輝度提示装置、色温度提示装置、輝度提示プログラム、および色温度提示プログラムを提供することを目的とする。
【課題を解決するための手段】
【０００９】
請求項１は、
画像表示装置へ入力値を入力したときの該画像表示装置の測色により得られる測色値のうちの、少なくとも、白を表わす入力値である白入力値を該画像表示装置に入力したときに該画像表示装置に表示される白の測色により得られる白測色値を取得する測色値取得部と、
前記測色値取得部で取得した測色値に基づいて、前記画像表示装置の色再現領域の、少なくとも白近傍の輪郭を算出する輪郭算出部と、
予め定められた白の目標測色値が前記色再現領域内に入っているか否かに応じて、現在の設定における前記画像表示装置で該予め定められた白が再現可能な白であるか否かを判定する再現可否判定部とを備えたことを特徴とする再現可否判定装置である。
【００１０】
請求項２は、
画像表示装置へ入力値を入力したときの該画像表示装置の測色により得られる測色値のうちの、少なくとも、白を表わす入力値である白入力値を該画像表示装置に入力したときに該画像表示装置に表示される白の測色により得られる白測色値を取得する測色値取得部と、
前記測色値取得部で取得した測色値に基づいて、前記色再現領域内の各点の、入力値と測色値との間の対応関係を算出する対応関係算出部と、
前記対応関係算出部で算出された対応関係に基づいて、予め定められた白の目標測色値に対応する評価対象白入力値を算出する評価対象白入力値算出部と、
前記評価対象白入力値算出部で算出された前記評価対象白入力値が前記画像表示装置の入力値として再現可能な範囲内の値であるか否かに応じて、現在の設定における前記画像表示装置で前記予め定められた白が再現可能な白であるか否かを判定する再現可否判定部とを備えたことを特徴とする再現可否判定装置である。
【００１１】
請求項３は、
前記対応関係算出部が、前記測色値取得部で取得した測色値に基づいて、前記色再現領域内の各点の、入力値と測色値との対応関係を表わす変換マトリックスを算出し、
前記評価対象白入力値算出部が、前記対応関係算出部で算出された変換マトリックスに基づいて、予め定められた白の目標測色値に対応する評価対象白入力値を算出することを特徴とする請求項２に記載の再現可否判定装置である。
【００１２】
請求項４は、
前記対応関係算出部が、前記測色値取得部で取得した測色値にに基づいて、白入力値と白測色値との組合せについての階調曲線、および、入力値を構成する各入力変数と測色値を構成する各測色変数との各組合せについての階調曲線を算出するとともに、該階調曲線に基づいて、前記色再現領域内の各点の入力値と測色値との対応関係を表わす線形回帰モデルを作成し、
前記評価対象白入力値算出部が、前記対応関係算出部で算出された線形回帰モデルに基づいて、予め定められた白の目標測色値に対応する評価対象白入力値を算出することを特徴とする請求項２に記載の再現可否判定装置である。
【００１３】
請求項５は、
請求項２に記載の再現可否判定装置と、
前記再現可否判定部による、現在の設定における前記画像表示装置では前記予め定められた白が再現不可能であるとの判定を受けて、前記対応関係算出部に、前記測色値取得部で取得された前記白測色値を採用することに代えて、該白測色値と比べ色温度を変化させずに輝度を変化させた新たな白測色値を採用したときの、前記色再現領域内の各点の入力値と測色値との間の新たな対応関係を算出させるとともに、前記評価対象白入力値算出部に、該新たな対応関係に基づく、前記予め定められた白の目標測色値に対応する新たな評価対象白入力値を算出させて、前記再現可否判定部に、該新たな評価対象白入力値が前記画像表示装置の入力値として再現可能な範囲内の値であるか否かを判定させる過程を経て、目標色温度を再現した上での目標輝度の再現が可能な輝度を算出する輝度算出部と、
前記輝度算出部で算出された輝度を提示する輝度提示部とを備えたことを特徴とする輝度提示装置である。
【００１４】
請求項６は、
請求項２に記載の再現可否判定装置と、
前記再現可否判定部による、現在の設定における前記画像表示装置では前記予め定められた白が再現不可能であるとの判定を受けて、前記測色値取得部で取得した前記白測色値と前記評価対象白入力値算出部で算出された前記評価対象白入力値とに基づくとともに階調特性を考慮して、目標色温度を再現した上での目標輝度の再現が可能な輝度を算出する輝度算出部と、
前記輝度算出部で算出された輝度を提示する輝度提示部とを備えたことを特徴とする輝度提示装置である。
【００１５】
請求項７は、
画像表示装置へ入力値を入力したときの該画像表示装置の測色により得られる測色値のうちの、少なくとも、白を表わす入力値である白入力値を該画像表示装置に入力したときに該画像表示装置に表示される白の測色により得られる白測色値を取得する測色値取得部と、
前記測色値取得部で取得した測色値に基づいて、前記色再現領域内の各点の、入力値と測色値との間の対応関係を算出する対応関係算出部と、
前記対応関係算出部で算出された対応関係に基づいて、予め定められた白の目標測色値に対応する評価対象白入力値を算出する評価対象白入力値算出部と、
前記測色値取得部で得られた前記白測色値が表わす色温度である測色色温度と前記目標測色値が表わす色温度である目標色温度との比率に基づいて前記白入力値を変換することにより、前記目標色温度を達成する目標色温度白入力値を算出する目標色温度白入力値算出部と、
前記評価対象白入力値を前記測色色温度に対応づけるとともに前記目標色温度白入力値を前記目標色温度に対応づけたときの関係式に基づいて、前記画像表示装置の入力値として再現可能な範囲内の値が得られる色温度を算出する色温度算出部と、
前記色温度算出装置で算出された色温度を提示する色温度提示部とを備えたことを特徴とする色温度提示装置である。
【００１６】
請求項８は、
プログラムを実行する情報処理装置内で実行され、該情報処理装置を、
画像表示装置へ入力値を入力したときの該画像表示装置の測色により得られる測色値のうちの、少なくとも、白を表わす入力値である白入力値を該画像表示装置に入力したときに該画像表示装置に表示される白の測色により得られる白測色値を取得する測色値取得部と、
前記測色値取得部で取得した測色値に基づいて、前記画像表示装置の色再現領域の、少なくとも白近傍の輪郭を算出する輪郭算出部と、
予め定められた白の目標測色値が前記色再現領域内に入っているか否かに応じて、現在の設定における前記画像表示装置で該予め定められた白が再現可能な白であるか否かを判定する再現可否判定部とを備えた再現可否判定装置として動作させることを特徴とする再現可否判定プログラムである。
【００１７】
請求項９は、
プログラムを実行する情報処理装置内で実行され、該情報処理装置を、
画像表示装置へ入力値を入力したときの該画像表示装置の測色により得られる測色値のうちの、少なくとも、白を表わす入力値である白入力値を該画像表示装置に入力したときに該画像表示装置に表示される白の測色により得られる白測色値を取得する測色値取得部と、
前記測色値取得部で取得した測色値に基づいて、前記色再現領域内の各点の、入力値と測色値との間の対応関係を算出する対応関係算出部と、
前記対応関係算出部で算出された対応関係に基づいて、予め定められた白の目標測色値に対応する評価対象白入力値を算出する評価対象白入力値算出部と、
前記評価対象白入力値算出部で算出された前記評価対象白入力値が前記画像表示装置の入力値として再現可能な範囲内の値であるか否かに応じて、現在の設定における前記画像表示装置で前記予め定められた白が再現可能な白であるか否かを判定する再現可否判定部とを備えた再現可否判定装置として動作させることを特徴とする再現可否判定プログラムである。
【００１８】
請求項１０は、
プログラムを実行する情報処理装置内で実行され、該情報処理装置を、
請求項９に記載の再現可否判定プログラムによって該情報処理装置内に構築される再現可否判定装置を備えるとともに、さらに
前記再現可否判定部による、現在の設定における前記画像表示装置では前記予め定められた白が再現不可能であるとの判定を受けて、前記対応関係算出部に、前記測色値取得部で取得された前記白測色値を採用することに代えて、該白測色値と比べ色温度を変化させずに輝度を変化させた新たな白測色値を採用したときの、前記色再現領域内の各点の入力値と測色値との間の新たな対応関係を算出させるとともに、前記評価対象白入力値算出部に、該新たな対応関係に基づく、前記予め定められた白の目標測色値に対応する新たな評価対象白入力値を算出させて、前記再現可否判定部に、該新たな評価対象白入力値が前記画像表示装置の入力値として再現可能な範囲内の値であるか否かを判定させる過程を経て、目標色温度を再現した上での目標輝度の再現が可能な輝度を算出する輝度算出部と、
前記輝度算出部で算出された輝度を提示する輝度提示部とを備えた輝度提示装置として動作させることを特徴とする輝度提示プログラムである。
【００１９】
請求項１１は、
プログラムを実行する情報処理装置内で実行され、該情報処理装置を、
請求項９に記載の再現可否判定プログラムによって該情報処理装置内に構築される再現可否判定装置を備えるとともに、さらに
前記再現可否判定部による、現在の設定における前記画像表示装置では前記予め定められた白が再現不可能であるとの判定を受けて、前記測色値取得部で取得した前記白測色値と前記評価対象白入力値算出部で算出された前記評価対象白入力値とに基づくとともに階調特性を考慮して、目標色温度を再現した上での目標輝度の再現が可能な輝度を算出する輝度算出部と、
前記輝度算出部で算出された輝度を提示する輝度提示部とを備えた輝度提示装置として動作させることを特徴とする輝度提示プログラムである。
【００２０】
請求項１２は、
プログラムを実行する情報処理装置内で実行され、該情報処理装置を、
画像表示装置へ入力値を入力したときの該画像表示装置の測色により得られる測色値のうちの、少なくとも、白を表わす入力値である白入力値を該画像表示装置に入力したときに該画像表示装置に表示される白の測色により得られる白測色値を取得する測色値取得部と、
前記測色値取得部で取得した測色値に基づいて、前記色再現領域内の各点の、入力値と測色値との間の対応関係を算出する対応関係算出部と、
前記対応関係算出部で算出された対応関係に基づいて、予め定められた白の目標測色値に対応する評価対象白入力値を算出する評価対象白入力値算出部と、
前記測色値取得部で得られた前記白測色値が表わす色温度である測色色温度と前記目標測色値が表わす色温度である目標色温度との比率に基づいて前記白入力値を変換することにより、前記目標色温度を達成する目標色温度白入力値を算出する目標色温度白入力値算出部と、
前記評価対象白入力値を前記測色色温度に対応づけるとともに前記目標色温度白入力値を前記目標色温度に対応づけたときの関係式に基づいて、前記画像表示装置の入力値として再現可能な範囲内の値が得られる色温度を算出する色温度算出部と、
前記色温度算出装置で算出された色温度を提示する色温度提示部とを備えた色温度提示装置として動作させることを特徴とする色温度提示プログラムである。
【発明の効果】
【００２１】
請求項１乃至請求項４の再現可否判定装置、並びに、請求項８および請求項９の再現可否判定プログラムによれば、目標輝度および目標色温度を再現したカラーマネジメントが可能か否かを判定することができる。
【００２２】
請求項５および請求項６の輝度提示装置および請求項１０および請求項１１の輝度提示プログラムによれば、目標の色温度の再現が可能な輝度を提示することができる。
【００２３】
請求項７の色温度提示装置および請求項１２の色温度提示プログラムによれば、目標の輝度の再現が可能な色温度を提示することができる。
【図面の簡単な説明】
【００２４】
【図１】色変換プロファイル作成システムの概念図である。
【図２】色補正の概念図である。
【図３】色変換プロファイル作成処理のフローを示した図である。
【図４】本発明の第１実施形態としての再現可否判定装置の機能ブロック図である。
【図５】測色により得られた各ＸＹＺ値を、ＸＹＺ空間上の各座標として表わした図である。
【図６】ＸＹＺ空間上に、白ＸＹＺ値の座標とその近傍のＸＹＺ値の座標をプロットして示した図である。
【図７】本発明の第２実施形態としての再現可否判定装置の機能ブロック図である。
【図８】本発明の第３実施形態としての再現可否判定装置の機能ブロック図である。
【図９】１０通りの階調曲線のうちの一例を示した図である。
【図１０】本発明の第４実施形態としての輝度提示装置の機能ブロック図である。
【図１１】図１０に示す輝度提示装置の輝度算出部における輝度算出処理フローを表わした図である。
【図１２】図１０に示す輝度提示装置の輝度算出部における輝度算出の過程を示した模式図である。
【図１３】図１０に示す輝度提示装置の輝度算出部における輝度算出の過程を示した模式図である。
【図１４】本発明の第５実施形態としての輝度提示装置の機能ブロック図である。
【図１５】図１４に示す輝度提示装置の輝度算出部における輝度算出アルゴリズムの説明図である。
【図１６】本発明の第６実施形態としての色温度提示装置の機能ブロック図である。
【図１７】目標色温度白ＲＧＢ値算出部および色温度算出部における処理内容を示した図である。
【図１８】離散的ないくつかの色温度にしか設定できないモニタについての図１７と同様な図である。
【発明を実施するための形態】
【００２５】
以下、本発明の実施の形態について説明する。
【００２６】
図１は、色変換プロファイル作成システムの概念図である。
【００２７】
この色変換プロファイル作成システム１００は、色変換プロファイル作成対象のモニタ１０と、測色計２０と、パーソナルコンピュータ（以下、「ＰＣ」と略記する）３０とで構成されている。
【００２８】
ここでは、モニタ１０の表示画面１１の表示色が測色計２０によって測色される。この測色にあたっては、不図示の装置から、Ｒ（赤），Ｇ（緑），Ｂ（青）の３色分のデータからなるＲＧＢデータが、Ｒ，Ｇ，Ｂの各値をＲ，Ｇ，Ｂ＝０〜２５５の範囲内で順次変化させながら、モニタ１０およびＰＣ３０に入力される。すると、モニタ１０の表示画面１１の表示色が、モニタ１０に入力されたＲＧＢデータに応じた色に順次に変化する。測色計２０は、その順次に変化する色を測色し測色データを出力する。ここで用いている測色計２０は、一例として、ＸＹＺ表色系に準拠した測色データを出力する測色計である。
【００２９】
なお、ＸＹＺ表色系以外の表色系、例えば
【数１】
2018046398.tif 000003
等に準拠した測色データを出力する測色計も存在するが、それらの表色系は相互に一義的に変換可能であるため、ここでは、ＸＹＺ表色系に準拠した測色データを出力する測色計を用いるものとし説明する。そして、これ以降、この測色計２０から出力される測色データを、ＸＹＺデータと称する。
【００３０】
測色計２０から順次出力されたＸＹＺデータは、ＲＧＢデータと同期して、そのＲＧＢデータとともにＰＣ３０に入力され、ＰＣ３０内にＲＧＢデータとＸＹＺデータとのペアが蓄積される。
【００３１】
なお、ここでは、不図示の装置からＲＧＢデータが出力されてモニタ１０とＰＣ３０に入力される旨、説明したが、ＰＣ３０がＲＧＢデータの出力元となりＰＣ３０から出力したＲＧＢデータをモニタ１０に入力する構成としてもよい。
【００３２】
ここで、本実施形態におけるＲＧＢデータおよびＸＹＺデータは、本発明にいう、それぞれ「入力値」および「測色値」の各一例に相当する。なお、ここでは、モニタ１０に入力した入力値（ＲＧＢデータ）および測色計２０での測色により得られた測色値（ＸＹＺデータ）のみでなく、後述する演算により得られる入力値（ＲＧＢデータ）および測色値（ＸＹＺデータ）に相当する値についても、それぞれ入力値（ＲＧＢデータ）および測色値（ＸＹＺデータ）と称する。また、「データ」を省略して「ＲＧＢ」および「ＸＹＺ」、あるいは、その値に関心があるときは、「ＲＧＢ値」および「ＸＹＺ値」とも称する。
【００３３】
図２は、色補正の概念図である。
【００３４】
図１に示すＰＣ３０内には、上記のようにして、ＲＧＢ値とＸＹＺ値とのペアが蓄積される。そして、それら多数のペアを基に、ＲＧＢ値を、予め定められた所望のＸＹＺ値を得ることができるＲ’Ｇ’Ｂ’値に変換するための変換テーブルを作成する。ここでは、この変換テーブルを、色変換プロファイルと称する。そして、ＲＧＢ値が入力されてきたときに、色変換部において、その色変換プロファイルを参照してＲ’Ｇ’Ｂ’値に変換する。モニタ１０には、この変換により得られたＲ’Ｇ’Ｂ’値に基づく画像を表示させる。こうすることにより、モニタ１０に所望の色（所望のＸＹＺ値が得られる色）の画像を表示することができる。
【００３５】
図３は、色変換プロファイル作成処理のフローを示した図である。
【００３６】
ここでは、先ず、色再現目標を決定する（ステップＳ０１）。ここでは、この色再現目標として、目標の輝度と目標の色温度を決定する。ここでは、一例として、輝度１００ｃｄ、色温度６５００Ｋを、それぞれ目標輝度、目標色温度とする。
【００３７】
次に、測色計２０を用いて、モニタ１の表示画面１１の測色を行なう（ステップＳ０２）。ここでの測色では、表示画面１１の白、すなわち、（Ｒ，Ｇ，Ｂ）＝（２５５，２５５，２５５）のＲＧＢ値を入力したときの表示画面１１の表示色の測色は必須である。その他の、後述する演算に必要な色についても、精度を高めるためには測色を行なうことが望ましいが、簡便さを考慮して、この段階の測色は白の測色のみに留め、他の色については計算で済ませてもよい。
【００３８】
次に、その測色により得られたＸＹＺ値を基にした演算により、モニタ１０が今のハードウェア設定のままで色再現目標（ここでは１００ｃｄ，６５００Ｋ）を再現することが可能か否かを判定する（ステップＳ０３）。そして、モニタ１０が、今ハードウェア設定のままでは色再現目標を再現することができないとの判定の場合には、ハードウェア設定をどのように変更すれば色再現目標を再現することのできるかという、設定変更ガイドを提示する（ステップＳ０４）。
【００３９】
モニタ１０のハードウェア設定が色再現目標（ここでは１００ｃｄ，６５００Ｋ）を再現することができる設定であったとき、あるいは、色再現目標を再現することができる設定に変更されると（ステップＳ０３）、今度は、図１を参照して説明したようにして、モニタ１０に様々な値のＲＧＢ値を入力しながら測色を繰り返し、各ＲＧＢ値と各ＸＹＺ値とのペアを蓄積する（ステップＳ０５）。そして、蓄積されたそれらの多数のペアを基にして色変換プロファイルを作成する。色変換プロファイルの作成方法自体は広く知られているため、ここでの説明は省略する。
【００４０】
ここでは、色変換プロファイル作成処理（ステップＳ０５）に先だってステップＳ０２〜Ｓ０４の処理を行なっているため、色変換プロファイル作成処理を行なった後で所望の色の画像が得られずにやり直しが強いられることが防止される。
【００４１】
ここで、モニタ１０によっては、ハードウェア設定として例えば輝度のみ設定可能であって色温度が固定のモニタも存在する。あるいは、色温度も設定可能であるが、離散的ないくつかの色温度にしか設定できず、目標の色温度（ここでは、６５００Ｋ）そのものには設定不能なモニタも存在する。その場合に、色温度自体はＲＧＢ値の調整により（すなわち、色変換プロファイルにより）目標の色温度に合わせることは可能であるが、それに伴って輝度が低下する。したがって、モニタ１０のハードウェア設定としての輝度のガイドにあたっては、ＲＧＢ値の調整により色温度を目的の色温度に調整してもなお、目的の輝度も達成できる輝度を提示することが必要である。
【００４２】
以下では、本実施形態の特徴である図３に四角で囲った部分、すなわち、モニタ１０のハードウェア設定が色再現目標（ここでは１００ｃｄ，６５００Ｋ）を再現することができる設定になっているか否かの判定アルゴリズム（ステップＳ０３）と、提示すべき輝度ないし色温度の算出アルゴリズム（ステップＳ０４）について詳細に説明する。
（再現可否判定の第１例）
図４は、本発明の第１実施形態としての再現可否判定装置の機能ブロック図である。
【００４３】
この図４に示す再現可否判定装置４０は、図１に示すＰＣ３０内で本発明の第１実施形態としての再現可否判定プログラムが実行されることにより、そのＰＣ３０に構築される機能としての再現可否判定装置である。
【００４４】
この図４に示す再現可否判定装置４０は、ＸＹＺ値取得部４１と、輪郭算出部４２と、再現可否判定部４３とで構成されている。
【００４５】
ＸＹＺ値取得部４１は、モニタ１０へＲＧＢ値を入力したときのモニタ１０の測色により得られるＸＹＺ値のうちの、少なくとも、白を表わすＲＧＢ値である白ＲＧＢ値をモニタ１０に入力したときにモニタ１０に表示される白の測色により得られる白ＸＹＺ値を取得する。
【００４６】
ここで、白ＲＧＢ値、すなわち、（（Ｒ，Ｇ，Ｂ）＝（２５５，２５５，２５５）のＲＧＢ値は、本発明にいう「白入力値」の一例に相当する。また、その白ＲＧＢ値をモニタ１０に入力して得られる白ＸＹＺ値は、本発明にいう「白測色値」の一例に相当する。
【００４７】
ここでは、モニタ１０に白ＲＧＢ値、すなわち、（Ｒ，Ｇ，Ｂ）＝（２５５，２５５，２５５）のＲＧＢ値を入力して得られる白ＸＹＺ値のほかにも、Ｒ，Ｇの各色、すなわち、（Ｒ，Ｇ，Ｂ）＝（２５５，０，０）、（０，２５５，０）、（０，０，２５５）や、Ｃ（シアン），Ｍ（マゼンタ），Ｙ（イエロー）の各色、すなわち、（Ｒ，Ｇ，Ｂ）＝（０，２５５，２５５）、（２５５，０，２５５）、（２５５，２５５，０）、および黒色、すなわち、（Ｒ，Ｇ，Ｂ）＝（０，０，０）についても測色して、それらに対応する各ＸＹＺ値を得ることが望ましい。ただし、白以外については測色を省略し、必要なデータを計算で算出してもよい。具体例は後述する。
また、図４に示す再現可否判定装置４０の輪郭算出部４２では、ＸＹＺ値取得部４１で取得したＸＹＺ値に基づいて、モニタ１０の色再現領域の、少なくとも白近傍の輪郭が算出される。
【００４８】
そして、再現可否判定部４３は、目標の白（ここでは、１００ｃｄ，６５００Ｋ）を満たす目標ＸＹＺ値の座標がモニタ１０の色再現領域内に入っているか否かに応じて、現在の設定におけるモニタ１０で目標の白が再現可能な白であるか否かを判定する。
（再現可否判定の第１例の中の第１態様）
ここでは、再現可否判定の第１例の中の第１態様として、白のみでなく、上記のＲ，Ｇ，Ｂ，Ｃ，Ｍ，Ｙおよび黒の各色についても測色を行なった場合について説明する。
【００４９】
図５は、測色により得られた各ＸＹＺ値を、ＸＹＺ空間上の各座標として表わした図である。
【００５０】
輪郭算出部４２では、この図５に示す、‘ひゅしゃげた’直方体状の多面体が占める領域の輪郭が算出される。再現可否判定部４３では、色再現目標である目標ＸＹＺ値がその多面体の輪郭の内側に存在するか外側に存在するかが判定される。そして、目標ＸＹＺ値の座標がその輪郭の内側に存在するときは、色再現目標（目標輝度と目標色温度の双方）が再現可能と判定され、一方、目標ＸＹＺ値の座標がその輪郭の外側に存在するときは、色再現目標は再現不能と判定される。
【００５１】
なお、この第１態様では、白のみでなく、Ｒ，Ｇ，Ｂ，Ｃ，Ｍ，Ｙおよび黒の各色の全てについて測色を行なうとして説明したが、それらの全てではなく、白以外は、Ｃ，Ｍ，Ｙのみ、あるいはＲ，Ｇ，Ｂのみ測色してもよい。あるいは、白とＣ，Ｍ，Ｙについて測色し、Ｒ，Ｇ，Ｂや黒については、以下の第２態様と同様にして、計算で算出したＸＹＺ値を用いてもよい。
（再現可否判定の第１例の中の第２態様）
次に、再現可否判定の第１例の中の第２態様として、白のみを測色する場合について説明する。
【００５２】
モニタ１０の表示色は、ｓＲＧＢの規格から大きくは外れていない場合が多く、ここでは、白ＸＹＺ値以外は、測色せずに、ｓＲＧＢの規格を用いた計算により算出される。
【００５３】
下記（１）式は、ｓＲＧＢの規格を用いたＸＹＺ値の算出式を示した式である。
【００５４】
【数２】
2018046398.tif 000004
ここで、この（１）式では、Ｒ，Ｇ，Ｂの各値は、０〜２５５のレンジではなく、０〜１．０のレンジに規格化されている。また、Ｙｎは、白ＸＹＺ値を（Ｘｎ，Ｙｎ，Ｚｎ）としたときの、輝度を表わすＹｎである。
【００５５】
ここで、一例として、白ＸＹＺ値が、
（Ｘｎ，Ｙｎ，Ｚｎ）＝（９８，１００，１０８）・・・（２）
であった場合、Ｒ，Ｇ，Ｂ，黒の各ＸＹＺ値は、それぞれ、
ＲのＸＹＺ値（Ｘｒ，Ｙｒ，Ｚｒ）＝（４１．２４，３５．７６，１８．０５）
ＧのＸＹＺ値（Ｘｇ，Ｙｇ，Ｚｇ）＝（２１．２６，７１．５２，  ７．２２）
ＢのＸＹＺ値（Ｘｂ，Ｙｂ，Ｚｂ）＝（  １．９３，１１．９２，９５．０５）
黒のＸＹＺ値（Ｘｋ，Ｙｋ，Ｚｋ）＝（  ０．００，  ０．００，  ０．００）
・・・（３）
の通りに計算される。
【００５６】
ここでは、白の測色により得られた白ＸＹＺ値（上記の（２）式）と、上記の（１）式を用いた計算により得られた、一例としての（３）式の値とを使って、モニタ１０の色再現領域の輪郭を算出し、目標ＸＹＺ値の座標がその輪郭の内側に存在するか否かを判定する。
【００５７】
ここで、目標ＸＹＺ値の座標が輪郭の内側に存在するか否かの判定にあたっては、モニタ１０の色再現領域全域の輪郭の情報は不要であって、白とその近傍についてのみ輪郭が分かれば十分である。
（再現可否判定の第１例の中の第３態様）
図６は、ＸＹＺ空間上に、白ＸＹＺ値の座標とその近傍のＸＹＺ値の座標をプロットして示した図である。
【００５８】
ここでは、白ＲＧＢ値（Ｒ，Ｇ，Ｂ）＝（２５５，２５５，２５５）と、その近傍、例えば、（Ｒ，Ｇ，Ｂ）＝（２５０，２５５，２５５）、（２５５，２５０，２５５）、（２５５，２５５，２５０）、（２５５，２５０，２５０）、・・など、白からＲ，Ｇ，Ｂ，Ｃ，Ｍ，Ｙのそれぞれに少しずつ寄った値の各ＲＧＢ値をモニタ１０に入力し測色して各ＸＹＺ値を得る。そして、それらのＸＹＺ値に基づいて、モニタ１０の色再現領域のうちの白近傍の領域の輪郭を計算する。そして、その白近傍の輪郭と目標ＸＹＺ値とを比較して、目標ＸＹＺ値の座標がその輪郭の内側に存在するか否かを判定する。
この第３態様によっても、今のハードウェア設定のままのモニタ１０で、色再現目標の再現が可能か否かを判定することができる。
（再現可否判定の第２例）
図７は、本発明の第２実施形態としての再現可否判定装置の機能ブロック図である。
【００５９】
この図７に示す再現可否判定装置５０は、図１に示すＰＣ３０内で本発明の第２実施形態としての再現可否判定プログラムが実行されることにより、そのＰＣ３０に構築される機能としての再現可否判定装置である。
【００６０】
この図７に示す再現可否判定装置５０は、ＸＹＺ値取得部５１と、変換マトリックス算出部５２と、評価対象白ＲＧＢ値算出部５３と、再現可否判定部５４とで構成されている。ここで、変換マトリック算出部５２は、本発明にいう対応関係算出部の一例に相当する。
【００６１】
ＸＹＺ値取得部５１は、図４に示す第１実施形態の再現可否判定装置４０のＸＹＺ値取得部４１と同様、モニタ１０へＲＧＢ値を入力したときのモニタ１０の測色により得られるＸＹＺ値のうちの、少なくとも、白を表わすＲＧＢ値である白ＲＧＢ値をモニタ１０に入力したときにモニタ１０に表示される白の測色により得られる白ＸＹＺ値を取得する。ここでは、白だけでなく、Ｒ，Ｇ，Ｂについても測色することが望ましい。すなわち、ここでは、
白：（Ｒ，Ｇ，Ｂ）＝（２５５，２５５，２５５）
Ｒ：（Ｒ，Ｇ，Ｂ）＝（２５５，０，０）
Ｇ：（Ｒ，Ｇ，Ｂ）＝（０，２５５，０）
Ｂ：（Ｒ，Ｇ，Ｂ）＝（０，０，２５５）
・・・（４）
のそれぞれをモニタ１０に入力して測色し、各色ごとのＸＹＺ値を得ることが望ましい。
【００６２】
ただし、ここでも、ＸＹＺ値取得部５１では白についてのみ、ＸＹＺ値（白ＸＹＺ値）を取得し、モニタ１０がｓＲＧＢの規格に近い表示プロファイルを有していることを仮定して、次の変換マトリックッス算出部５２において、変換マトリックスの算出に先だって、Ｒ，Ｇ，Ｂの各色（上記の（４）式）に対応する各ＸＹＺ値を計算で算出してもよい。
【００６３】
そして、変換マトリックス算出部５２では、このような測色により求めた、あるいは計算で求めた白，Ｒ，Ｇ，Ｂの各色のＲＧＢ値とそれぞれ対応する各ＸＹＺ値との４つのペアから、下記（５），（６）式で示される、モニタ１０の色再現領域内の各点の、ＲＧＢ値とＸＹＺ値との間の対応関係を表わす変換マトリックスＭおよびその逆マトリックスＭ−１が算出される。変換マトリックスＭおよびその逆マトリックスＭ−１の算出アルゴリズム自体は広く知られており、ここでの説明は省略する。
【００６４】
【数３】
2018046398.tif 000005
そして、評価対象白ＲＧＢ値算出部５３では、上記の（６）式に目標ＸＹＺ値を代入して、その目標ＸＹＺ値に対応するＲＧＢ値を算出する。この目標ＸＹＺ値は、色再現目標（目標輝度および目標色温度）が再現されたときに測色すれば得られる筈のＸＹＺ値である。（６）式に目標ＸＹＺ値を代入して算出されるＲＧＢ値は、この後の評価の対象となる白のＲＧＢ値であり、ここではこのＲＧＢ値を「評価対象白ＲＧＢ値」と称する。
【００６５】
再現可否判定部５４では、このようにして算出された評価対象白ＲＧＢ値が、Ｒ，Ｇ，Ｂのいずれについても、モニタ１０に入力されるＲＧＢ値の範囲内、すなわち、ここに示す例では、Ｒ，Ｇ，Ｂのいずれについても０〜２５５の範囲内（Ｒ，Ｇ，Ｂが０〜１．０のレンジに規格化されているときは、Ｒ，Ｇ，Ｂのいずれについても、０〜１．０の範囲内）の値であるか否かが判定される。そして、その評価対象白ＲＧＢ値が、Ｒ，Ｇ，Ｂのいずれについても、モニタ１０に入力されるＲＧＢ値の範囲内の値のときは、色再現目標が再現可能であると判定される。一方、その評価対象白ＲＧＢ値を構成する、Ｒ，Ｇ，Ｂのいずれかが、モニタ１０に入力されるＲＧＢ値の範囲から外れた値のときは、色再現目標は再現不能であると判定される。
【００６６】
この再現可否判定の第２例では、以上の演算により、現在のハードウェア設定のモニタ１０で、目標色温度を達成した上で目標輝度が再現可能か否かが判定される。
（再現可否判定の第３例）
図８は、本発明の第３実施形態としての再現可否判定装置の機能ブロック図である。
【００６７】
この図８に示す再現可否判定装置６０は、図１に示すＰＣ３０内で本発明の第３実施形態としての再現可否判定プログラムが実行されることにより、そのＰＣ３０に構築される機能としての再現可否判定装置である。
【００６８】
この図８に示す再現可否判定装置５０は、ＸＹＺ値取得部６１と、線形回帰モデル作成部６２と、評価対象白ＲＧＢ値算出部６３と、再現可否判定部６４とで構成されている。
【００６９】
ＸＹＺ値取得部６１は、図７に示す第２実施形態の再現可否判定装置５０のＸＹＺ値取得部５１と同一であり、重複説明は省略する。
【００７０】
線形回帰モデル作成部６２は、上述の第２例における変換マトリック算出部５２に代わる構成要素であり、この線形回帰モデル作成部６２は、上述の第２例における変換マトリック算出部５２と同様、本発明にいう対応関係算出部の一例に相当する。
【００７１】
この線形回帰モデル作成部６２は、ＸＹＺ値取得部６１で取得したＸＹＺ値に基づいて、白ＲＧＢ値と白ＸＹＺ値との組合せについての階調曲線、および、ＲＧＢ値を構成する各変数Ｒ，Ｇ，ＢとＸＹＺ値を構成する各変数Ｘ，Ｙ，Ｚとの各組合せについての階調曲線を算出するとともに、それらの階調曲線に基づいて、モニタ１０の色再現領域内の各点のＲＧＢ値とＸＹＺ値との対応関係を表わす線形回帰モデルを作成する。
【００７２】
ここで、ＲＧＢ値を構成する各変数Ｒ，Ｇ，ＢとＸＹＺ値を構成する各変数Ｘ，Ｙ，Ｚとの各組合せは９通り存在し、それら９通りの組合せについての階調曲線と、白ＲＧＢ値と白測色値との組合せについての階調曲線とを合わせると、ここでは１０通りの階調曲線が算出される。
【００７３】
図９は、１０通りの階調曲線のうちの一例を示した図である。
【００７４】
横軸はＲ（ここでは、規格化されており、Ｒ＝０〜１．０である）、縦軸はＹである。
【００７５】
この図９に示す階調曲線は、
【数４】
2018046398.tif 000006
により算出される。
【００７６】
ここで、ａは、ＲＧＢ値が、
（Ｒ，Ｇ，Ｂ）＝（２５５，０，０）
（規格化後は、（Ｒ，Ｇ，Ｂ）＝（１．０，０，０））
の場合における、そのＲＧＢ値に対応するＸＹＺ値のうちのＹ値である。また、（７）式のＲは、０〜１．０に規格化された値である。また、ここでは、モニタ１０の標準的な表示階調特性を考慮して、Ｒの２．２乗を採用している。また、ここでは、黒（Ｒ，Ｇ，Ｂ）＝（０，０，０）については、（Ｘ，Ｙ，Ｚ）＝（０，０，０）と仮定している。ここでは、白の近傍に関心があり、黒については、この仮定をおいても問題はない。
【００７７】
図８の線形回帰モデル生成部６２は、この図９に示すような階調曲線を合計１０通り作成する。そして、その線形回帰モデル生成部６２はさらに、それら１０通りの階調曲線により得られる各階調のＲＧＢ値とＸＹＺ値との多数のペアを用いてＲＧＢ値とＸＹＺ値との相互の対応関係を表わす線形回帰モデルを作成する。この線形回帰モデルは、図７を参照して説明した第２例の変換マトリックス算出部５２で算出される変換マトリックスと同様、モニタ１０の色再現領域内の各点のＲＧＢ値とＸＹＺ値との対応関係を表わしている。なお、線形回帰モデル作成のアルゴリズム自体は広く知られており、ここでの説明は省略する。
【００７８】
図８に示す評価対象白ＲＧＢ値算出部６３は、線形回帰モデル作成部６２で作成した線形回帰モデルを使って、目標白ＸＹＺ値を、その目標白ＸＹＺ値に対応するＲＧＢ値に変換する。この目標ＸＹＺ値に対応するＲＧＢ値は、この後の評価の対象となる白のＲＧＢ値であり、上述の第２例の場合と同様、このＲＧＢ値を「評価対象白ＲＧＢ値」と称する。
【００７９】
再現可否判定部６４では、このようにして算出された評価対象白ＲＧＢ値が、Ｒ，Ｇ，Ｂのいずれについても、モニタ１０に入力されるＲＧＢ値の範囲内、すなわち、ここに示す例では、Ｒ，Ｇ，Ｂのいずれについても０〜２５５の範囲内（Ｒ，Ｇ，Ｂが０〜１．０のレンジに規格化されているときは、Ｒ，Ｇ，Ｂのいずれについても、０〜１．０の範囲内）の値であるか否かが判定される。そして、その評価対象白ＲＧＢ値が、Ｒ，Ｇ，Ｂのいずれについても、モニタ１０に入力されるＲＧＢ値の範囲内の値のときは、色再現目標が再現可能であると判定される。一方、その評価対象白ＲＧＢ値を構成する、Ｒ，Ｇ，Ｂのいずれかが、モニタ１０に入力されるＲＧＢ値の範囲から外れた値のときは、色再現目標は再現不能であると判定される。
【００８０】
この再現可否判定の第３例では、以上の演算により、現在のハードウェア設定のモニタ１０で、目標色温度を達成した上で目標輝度が再現可能か否かが判定される。
【００８１】
次に、色再現目標を表わす目標ＸＹＺ値を再現するための、モニタ１０のハードウェア設定として提示する輝度や色温度の算出アルゴリズムについて説明する。
【００８２】
（輝度算出の第１例）
図１０は、本発明の第４実施形態としての輝度提示装置の機能ブロック図である。
【００８３】
この図１０に示す輝度提示装置７０は、図１に示すＰＣ３０内で本発明の第４実施形態としての輝度提示プログラムが実行されることにより、そのＰＣ３０に構築される機能としての輝度提示装置である。
【００８４】
この図１０に示す輝度提示装置７０は、ＸＹＺ値取得部７１と、対応関係算出部７２と、評価対象白ＲＧＢ値算出部７３と、再現可否判定部７４と、輝度算出部７５と、輝度提示部７６とで構成されている。
【００８５】
ＸＹＺ値取得部７１は、図７に示す再現可否判定装置５０のＸＹＺ値取得部５１あるいは図８に示す再現可否判定装置６０のＸＹＺ値取得部６１と同一であり、重複説明は省略する。
【００８６】
対応関係算出部７２では、モニタ１０の色再現領域内の各点のＲＧＢ値とＸＹＺ値との対応関係が算出される。この対応関係算出部７２は、図７に示す再現可否判定装置５０の変換マトリックス算出部５２ないし図８に示す再現可否判定装置６０の線形回帰モデル作成部６２に対応する。すなわち、この対応関係算出部７１では、図７を参照して説明した変換マトリックス（前述の（５），（６）式）が算出され、あるいは、図８を参照して説明した線形回帰モデルが作成される。
【００８７】
また、評価対象白ＲＧＢ値算出部７３は、図７に示す再現可否判定装置５０の評価対象白ＲＧＢ値算出部５３ないし図８に示す再現可否判定装置６０の評価対象白ＲＧＢ値算出部６３に対応する。すなわち、この評価対象白ＲＧＢ値算出部７３では、対応関係算出部７２で算出された対応関係（変換マトリックスあるいは線形回帰モデル）を使って、目標ＸＹＺ値が、その目標ＸＹＺ値に対応するＲＧＢ値である評価対象白ＲＧＢ値に変換される。
【００８８】
そして、再現可否判定部７４では、図７に示す再現可否判定装置５０の再現可否判定部５４ないし図８に示す再現可否判定装置６０の再現可否判定部６４と同様、評価対象白ＲＧＢ値算出部７３で算出された評価対象白ＲＧＢ値を構成するＲ，Ｇ，Ｂの各値が、０〜２５５（規格化されていたときは０〜１．０）の範囲内であるか否かにより、色再現目標が再現可能か否かが判定される。
【００８９】
すなわち、図１０に示す輝度提示装置７０を構成しているＸＹＺ値取得部７１、対応関係算出部７２、評価対象白ＲＧＢ値算出部７３、および再現可否判定部７４は、図７に示す再現可否判定装置５０あるいは図８に示す再現可否判定装置６０と同一であって、この輝度提示装置７０は、図７に示す再現可否判定装置５０あるいは図８に示す再現可否判定装置６０を内包している。すなわち、この輝度提示装置７０は、再現可否判定装置としての構成に、さらに、輝度算出部７５および輝度提示部７６が追加された構成を有する。
【００９０】
輝度算出部７５は、再現可否判定部７４による、現在のハードウェア設定におけるモニタ１０では色再現目標である目標ＸＹＺ値が再現不可能であるとの判定を受けて、対応関係算出部７２に、ＸＹＺ値取得部７１で取得した白ＸＹＺ値の代わりに、その白ＸＹＺ値と比べ色温度を変化させずに輝度のみを変化させた新たな白ＸＹＺ値を採用したときの、モニタ１０の色再現領域内の各点のＲＧＢ値とＸＹＺ値との間の新たな対応関係を算出させるとともに、評価対象白ＲＧＢ値算出部７３に、その新たな対応関係に基づく、色温度目標を表わす目標ＸＹＺ値に対応する新たな評価対象白ＲＧＢ値を算出させて、再現可否判定部７４に、その新たな評価対象白ＲＧＢ値がモニタ１０のＲＧＢ値として成立する範囲内の値であるか否かを判定させる過程を経て、目標色温度を再現した上でさらに目標輝度の再現が可能な輝度を算出する。
【００９１】
そして、輝度提示部７６は、輝度算出部７５で算出された輝度を、ＰＣ３０の表示画面上に表示することで、ユーザに向けて提示する。
（輝度算出の第１例の第１態様）
図１１は、図１０に示す輝度提示装置の輝度算出部における輝度算出処理フローを表わした図である。
【００９２】
また、図１２は、図１０に示す輝度提示装置の輝度算出部における輝度算出の過程を示した模式図である。
【００９３】
図１２の横軸はモニタの輝度、縦軸は評価対象白ＲＧＢ値（更新後の新たな評価対象白ＲＧＢ値を含む）ＲＴ，ＧＴ，ＢＴである。ただし、この縦軸は、Ｒ，Ｇ，Ｂ＝０〜２５５を０〜１．０に規格化した値を示している。また、ＲＴ，ＧＴ，ＢＴは、通常、値は互いに異なるが、この図１２では、代表的に１つの変数の値の変化を模式的に示している。
【００９４】
ここでは、再現可否判定部７４で色再現目標が再現不可能であると最初に判定された時点の、（Ｒ，Ｇ，Ｂ）＝（２５５，２５５，２５５）に対応する測色値である白ＸＹＺ値を、
（Ｘ，Ｙ，Ｚ）＝（Ｘｎ，Ｙｎ，Ｚｎ）  ・・・（８）
とする。
【００９５】
ここでは先ず、その白ＸＹＺ値のＹｎの増加分のΔＹを加算して、
Ｙｎ’＝Ｙｎ＋ΔＹ    ・・・（９）
を算出する（ステップＳ２１）。
【００９６】
そして、モニタ１０の色温度を変更させないように、ＸｎとＺｎについても、下記の（１０）式のように、Ｙｎ’とＹｎとの比率と同じ比率だけ増加させる（ステップＳ２２）。
【００９７】
Ｘｎ’＝Ｘｎ×Ｙｎ’／Ｙｎ
Ｚｎ’＝Ｚｎ×Ｙｎ’／Ｙｎ    ・・・（１０）
そして、（９）式、（１０）式に従って算出した新たな白ＸＹＺ値＝（Ｘｎ’，Ｙｎ’，Ｚｎ’）を、測色により得られた最初の白ＸＹＺ値の代わりに採用して、モニタ１０の色再現領域内の各点のＲＧＢ値とＸＹＺ値との間の新たな対応関係を算出する（ステップＳ２３）。この新たな対応関係としては、対応関係算出部７２が変換マトリックスを算出するアルゴリズムを有する場合は変換マトリックスが採用され、対応関係算出部７２が線形回帰モデルを作成するアルゴリズムを有する場合は線形回帰モデルが採用される。
【００９８】
次に、算出した新たな対応関係に基づいて、（９）式、（１０）式で算出した新たな白ＸＹＺ値＝（Ｘｎ’，Ｙｎ’，Ｚｎ’）を、その新たな白ＸＹＺ値＝（Ｘｎ’，Ｙｎ’，Ｚｎ’）に対応する新たな評価対象白ＲＧＢ値＝（ＲＴ，ＧＴ，ＢＴ）に変換する（ステップＳ２４）。そして、この変換により得られた新たな評価対象白ＲＧＢ値＝（ＲＴ，ＧＴ，ＢＴ）が、ＲＴ，ＧＴ，ＢＴのいずれについても１．０以下（規格化前の２５５以下）か否かが判定される（ステップＳ２５）。ＲＴ，ＧＴ，ＢＴのうちのいずれか１つでも１．０（規格化前の２５５）を越えていたら、（９）式に従って算出したＹｎ’にさらにΔＹを加え（ステップＳ２６）、Ｘｎ’Ｚｎ’についても（１０）式に従って計算し直して（ステップＳ２２）、さらに新たな対応関係を算出し（ステップＳ２３）、さらに新たな評価対象白ＲＧＢ値＝（ＲＴ，ＧＴ，ＢＴ）に変換し（ステップＳ２４）、１．０以下か否かの判定を行なう（ステップＳ２５）。これを繰り返すと、図１２に示すように、輝度Ｙｎ’の増加に伴ってＲＴ，ＧＴ，ＢＴの値が減少していく。そして、繰り返しの結果、ＲＴ，ＧＴ，ＢＴが全て１．０以下となったときの輝度Ｙ０を、調整目標値として設定する（ステップＳ２７）。
【００９９】
輝度提示部７６は、上記の演算処理により設定された輝度Ｙ０を、ＰＣ３０の表示画面３１上への表示等によりユーザに向けて提示して、モニタ１０の表示画面１１がその輝度Ｙ０以上の輝度となるように、モニタ１０のハードウェア設定の変更を促す。モニタ１０が離散的ないくつかの輝度にのみ設定可能なモニタであったときは、輝度Ｙ０以上の、設定可能な輝度を提示してもよい。
（輝度算出の第１例の第２態様）
図１３は、図１０に示す輝度提示装置の輝度算出部における輝度算出の過程を示した模式図である。
【０１００】
図１２と同様、図１３の横軸はモニタの輝度、縦軸は、Ｒ，Ｇ，Ｂ＝０〜２５５が０〜１．０となるように規格化された評価対象白ＲＧＢ値（ここでは、Ｒで代表させている）である。
【０１０１】
この図１３に示すＲＴは、最初に算出された対応関係を採用して目標白ＸＹＺ値から変換して得られた最初の評価対象白ＲＧＢ値のうちのＲである。そして、ＲＴ’は、１回更新して得た、すなわち、図１１のフローのステップＳ２１〜Ｓ２４を１回だけ通過して得た、新たな評価対象白ＲＧＢ値のうちのＲである。ここでは、最初のＲＴと１回更新後のＲＴ’を外挿して、ＲＴ≦１．０となる輝度Ｙｒを算出する。図１３には、Ｒについてのみ示されているが、Ｇ，Ｂについても同様に、最初のＧＴ，ＢＴと１回更新後のＧＴ’，ＢＴ’を外挿して、ＧＴ≦１．０、ＢＴ≦１．０となる輝度Ｙｇ，Ｙｂを算出する。そして、このようにして算出された３つの輝度Ｙｒ，Ｙｇ，Ｙｂのうちの一番高い輝度を調整目標の輝度とする。
【０１０２】
調整目標の輝度を算出するにあたり、評価対象白ＲＧＢ値＝（ＲＴ，ＧＴ，ＢＴ）の算出を繰り返すことに代えて、この図１３に示すように外挿により算出してもよい。
【０１０３】
（輝度算出の第２例）
図１４は、本発明の第５実施形態としての輝度提示装置の機能ブロック図である。
【０１０４】
この図１４に示す輝度提示装置７０は、図１に示すＰＣ３０内で本発明の第５実施形態としての輝度提示プログラムが実行されることにより、そのＰＣ３０に構築される機能としての輝度提示装置である。
【０１０５】
この図１４に示す輝度提示装置８０は、ＸＹＺ値取得部８１と、対応関係算出部８２と、評価対象白ＲＧＢ値算出部８３と、再現可否判定部８４と、輝度算出部８５と、輝度提示部８６とで構成されている。これらの構成要素のうち、再現可否判定装置の要素である、ＸＹＺ値取得部８１、対応関係算出部８２、評価対象白ＲＧＢ値算出部８３、および再現可否判定部８４と、さらに、輝度算出部８５は、図１０に示す輝度提示装置７０の対応する構成要素とそれぞれ同一であり、重複説明は省略する。すなわち、この図１４に示す輝度提示装置８０は、輝度算出部８５における輝度算出のアルゴリズムが、図１０に示す輝度提示装置７０の輝度算出部７５における輝度算出のアルゴリズムと異なっている。
【０１０６】
この輝度算出部８５は、再現可否判定部８４による、現在の設定におけるモニタ１０では色再現目標を表わす目標ＸＹＺ値が再現不可能であるとの判定を受けて、色再現目標を再現することのできる輝度を算出する。すなわち、この輝度算出部８５は、ＸＹＺ値取得部８１で取得した白ＸＹＺ値と、評価対象白ＲＧＢ値算出部で算出した評価対象白ＲＧＢ値とに基づくとともに階調特性を考慮して、目標色温度を再現した上での目標輝度の再現が可能な輝度を算出する。
【０１０７】
図１５は、図１４に示す輝度提示装置の輝度算出部における輝度算出アルゴリズムの説明図である。
【０１０８】
ここでは、ＸＹＺ値取得部８１から、測色により得られた白ＸＹＺ値＝（Ｘｎ，Ｙｎ，Ｚｎ）を受け取るとともに、評価対象白ＲＧＢ値算出部８３から、ＲＧＢ値とＸＹＺ値との対応関係（変換マトリックスあるいは線形回帰モデル）に従って目標ＸＹＺ値が変換された評価対象白ＲＧＢ値＝（ＲＴ，ＧＴ，ＢＴ）を受け取る。ここでは、評価対象白ＲＧＢ値を構成するＲＴ，ＧＴ，ＢＴのうちの一番値が大きい変数について以下の演算が実行される。一番値が大きい変数について演算を実行するだけで十分だからである。ここでは、ＧＴ≧ＲＴ，ＢＴとして説明する。
【０１０９】
ここでは、
【数５】
2018046398.tif 000007
により、新たな輝度Ｙｎ’が算出される。この（１１）式は、モニタ１０の標準的な表示階調特性を考慮してＧＴヲを２．２乗してＹｎに乗算することで、新たな輝度Ｙｎ’を算出することを意味している。この算出された新たな輝度Ｙｎ’が、モニタ１０のハードウェア設定として提示すべき輝度とされる。
【０１１０】
例えば、（ＲＴ，ＧＴ，ＢＴ）＝（０．８，１．２，１．１）、Ｙｎ＝８０であったとする。このとき、（１１）式より、
Ｙｎ’＝８０×１．２２．２＝１１９．４７
と計算される。モニタ１０の輝度をこの輝度Ｙｎ’に調整すると、そのときの評価対象白ＲＧＢ値のＧ＝ＧＴ’＝１．０となることが予測される。ここでは、ＧＴ≧ＲＴ，ＢＴであるから、モニタ１０に輝度を輝度Ｙｎ’に調整した後の評価対象白ＲＧＢ値は、ＲＴ，ＢＴ≦１．０となる。
（色温度算出）
図１６は、本発明の第６実施形態としての色温度提示装置の機能ブロック図である。
【０１１１】
この図１６に示す色温度提示装置９０は、図１に示すＰＣ３０内で本発明の第６実施形態としての色温度提示プログラムが実行されることにより、そのＰＣ３０に構築される機能としての色温度提示装置である。
【０１１２】
この図１６に示す色温度提示装置９０は、ＸＹＺ値取得部９１と、対応関係算出部９２と、評価対象白ＲＧＢ値算出部９３と、目標色温度白ＲＧＢ値算出部９４と、色温度算出部９５と、色温度提示部９６とで構成されている。これらの構成要素のうちの、ＸＹＺ値取得部９１、対応関係算出部９２、および評価対象白ＲＧＢ値算出部９３は、図１０，図１４に示す輝度提示装置７０，８０の同一名称の構成要素とそれぞれ同一であり、ここでの重複説明は省略する。
【０１１３】
目標色温度白ＲＧＢ値算出部９４は、ＸＹＺ値取得部９１で得られた白ＸＹＺ値が表わす色温度である測色色温度と目標ＸＹＺ値が表わす色温度である目標色温度との比率に基づいて白ＲＧＢ値を変換することにより、目標色温度を達成する目標色温度白ＲＧＢ値を算出する。
【０１１４】
そして、色温度算出部９５は、評価対象白ＲＧＢ値を測色色温度に対応づけるとともに目標色温度白ＲＧＢ値を目標色温度に対応づけたときの関係式に基づいて、モニタ１０に入力可能な範囲内のＲＧＢ値が得られる色温度を算出する。
（色温度算出の第１態様）
図１７は、目標色温度白ＲＧＢ値算出部および色温度算出部における処理内容を示した図である。
【０１１５】
この図１７の横軸は色温度、縦軸は算出されたＲＧＢ値である。
【０１１６】
ここでは、評価対象白ＲＧＢ値算出部９３で算出された評価対象白ＲＧＢ値を（ＲＴ１，ＧＴ１，ＢＴ１）とする。また、ここでは、目標ＸＹＺ値の輝度および色温度を、それぞれ、ＹＴ，ＴＴとする。
【０１１７】
ＸＹＺ値取得部９１で取得した、測色により得られた白ＸＹＺ値の輝度Ｙと、目標ＸＹＺ値の輝度ＹＴとを用いて、色再現目標（ここでは、目標輝度ＹＴと目標色温度ＴＴ）の達成に必要な、目標色温度白ＲＧＢ値＝（ＲＴ２，ＧＴ２，ＢＴ２）を算出する。
【０１１８】
ここでは、モニタ１０の色温度が、「仮想的に」、目標色温度ＴＴそのものに設定されていることを想定している。換言すると、この目標色温度白ＲＧＢ値＝（ＲＴ２，ＧＴ２，ＢＴ２）をモニタ１０に入力したときに得られる色温度は、目標色温度ＴＴと一致する。したがって、Ｒ，Ｇ，Ｂの各値を一律に変更することで、目標色温度ＴＴを達成することができる。すなわち、下記式（１２）を採用することで、目標色温度白ＲＧＢ値＝（ＲＴ２，ＧＴ２，ＢＴ２）を算出することができる。
【０１１９】
【数６】
2018046398.tif 000008
ただし、この（１２）式では、Ｒ，Ｇ，Ｂ＝０〜２５５が０〜１．０となるように規格化されている。また、（ＹＴ／Ｙ）を（１／２．２）乗しているのは、モニタ１０の表示階調特性を考慮したものである。
【０１２０】
具体例を示すと、目標輝度ＹＴ＝１００、白ＸＹＺ値の輝度Ｙ＝２００の場合、
【数７】
2018046398.tif 000009
と計算される。
【０１２１】
そして、図１７に示すように、評価対象白ＲＧＢ値＝（ＲＴ１，ＧＴ１，ＢＴ１）をモニタ１０の現在の色温度、すなわち、白ＸＹＺ値により表わされる色温度（ここでは一例として、３８００Ｋ）に対応づけ、（１２）式で算出した目標色温度白ＲＧＢ値＝（ＲＴ２，ＧＴ２，ＢＴ２）を、目標色温度ＴＴ（ここでは一例として６５００Ｋ）に対応づける。
【０１２２】
現在のハードウェア設定のモニタ１０の色温度は３８００Ｋであり、図１７に示すようにＧＴ１＞１．０であって、現在のハードウェア設定のままでは、色再現目標（目標輝度ＹＴ＝１００ｃｄと目標色温度ＴＴ＝６５００Ｋ）の再現は不可能である。そこで、ここでは、仮想的に、モニタ１０を、現在の輝度Ｙ（ここに示した例では輝度Ｙ＝２００ｃｄ）を維持したまま色温度を目標色温度（ここに示した例では目標色温度ＴＴ＝６５００Ｋ）に調整したとすると、そのように調整したモニタ１０で色再現目標（目標輝度ＹＴ＝１００ｃｄかつ目標色温度ＴＴ＝６５００Ｋ）を表示すると、その時のＲＧＢ値は、ＲＴ２，ＧＴ２，ＢＴ２（ここに示す例では、ＲＴ２＝ＧＴ２＝ＢＴ２＝０．７３）となる筈である。
【０１２３】
そこで、ここでは、評価対象白ＲＧＢ値＝（ＲＴ１，ＧＴ１，ＢＴ１）をモニタ１０の現在の色温度、すなわち、白ＸＹＺ値により表わされる色温度（ここでは一例として、３８００Ｋ）に対応づけ、（１２）式で算出した目標色温度白ＲＧＢ値＝（ＲＴ２，ＧＴ２，ＢＴ２）を、目標色温度ＴＴ（ここでは一例として６５００Ｋ）に対応づけて、ＲＴ１とＲＴ２、ＧＴ１とＧＴ２、ＢＴ１とＢＴ２を、それぞれ直線で結ぶ。すなわち、
ＲＴ＝αｒ×Ｔ＋βｒ
ＧＴ＝αｇ×Ｔ＋βｇ
ＢＴ＝αｂ×Ｔ＋βｂ      ・・・（１３）
なる予測式を算出する。ここで、Ｔは色温度を表わす変数である。
【０１２４】
そして、これら３本の予測式により算出されるＲＴ，ＧＴ，ＢＴの各値のいずれもが１．０を下回る色温度（図１７に示す例では、約４５００Ｋ）が、モニタ１０のハードウェア設定として提示すべき色温度として算出される。すなわち、この図１７に示す例では、モニタ１０の色温度のハードウェア設定を４５００Ｋ以上に設定すれば、ＲＧＢ値の調整により、すなわち色変換プロファイルを作成することにより、色再現目標（ここに示している例では、目標輝度ＹＴ＝１００ｃｄと目標色温度ＴＴ＝６５００Ｋ）の白を再現することができることを意味している。
（色温度算出の第２態様）
図１８は、離散的ないくつかの色温度にしか設定できないモニタについての図１７と同様な図である。
ここでは、ハードウェア的には、パターン１からパターン４までの４つの色温度にしか調整できないものとする。
【０１２５】
この場合、パターン１〜４の４パターンの色温度が不明なときは、各パターンにおける白を測色して各パターンの色温度を調べる。そして、図１６，図１７を参照して説明した演算と同様の演算を行なって、評価対象白ＲＧＢ値＝（ＲＴ１，ＧＴ１，ＢＴ１）をモニタ１０の現在のハードウェア設定における色温度（ここでは一例として、４５００Ｋ）に対応づけ、（１２）式で算出した目標色温度白ＲＧＢ値＝（ＲＴ２，ＧＴ２，ＢＴ２）を、目標色温度ＴＴ（ここでは一例として、６５００Ｋ）に対応づける。そして、ＲＴ，ＧＴ，ＢＴのいずれもが１．０を下回るパターン、図１８に示す例ではパターン３が、設定すべきパターンとして、ＰＣ３０の表示画面３１上への表示等によりユーザに提示される。
【０１２６】
このように、上述の各再現可否判定装置の各実施形態によれば、色変換プロファイルの作成前に、モニタ１０が色再現目標、すなわち目標輝度と目標色温度との双方を再現した白を表示することができるか否かが判定される。このため、目標の色再現が不能であるにも関わらず色変換プロファイルを作成しようとする無駄を省くことができる。また、上述の輝度提示装置ないし色温度提示装置の各実施形態によれば、設定すべき輝度ないし色温度が提示されるため、ユーザは、色再現目標を再現することのできるハードウェア設定を容易に知ることができる。
【符号の説明】
【０１２７】
１０  モニタ
１１  表示画面
２０  測色計
３０  ＰＣ（パーソナルコンピュータ）
４０  再現可否判定装置
４１  ＸＹＺ値取得部
４２  輪郭算出部
４３  再現可否判定部
５０，６０  再現可否判定装置
５１，６１  ＸＹＺ値取得部
５２  変換マトリックス算出部
５３，６３  評価対象白ＲＧＢ値算出部
５４，６４  再現可否判定部
６２  線形回帰モデル作成部
７０，８０  輝度提示装置
７１，８１  ＸＹＺ値取得部
７２，８２  対応関係算出部
７３，８３  評価対象白ＲＧＢ値算出部
７４，８４  再現可否判定部
７５，８５  輝度算出部
７６，８６  輝度提示部
９０  色温度提示装置
９１  ＸＹＺ値取得部
９２  対応関係算出部
９３  評価対象白ＲＧＢ値算出部
９４  目標色温度白ＲＧＢ値算出部
９５  色温度算出部
９６  色温度提示部
【図１】
2018046398.tif 000010
【図２】
2018046398.tif 000011
【図３】
2018046398.tif 000012
【図４】
2018046398.tif 000013
【図５】
2018046398.tif 000014
【図６】
2018046398.tif 000015
【図７】
2018046398.tif 000016
【図８】
2018046398.tif 000017
【図９】
2018046398.tif 000018
【図１０】
2018046398.tif 000019
【図１１】
2018046398.tif 000020
【図１２】
2018046398.tif 000021
【図１３】
2018046398.tif 000022
【図１４】
2018046398.tif 000023
【図１５】
2018046398.tif 000024
【図１６】
2018046398.tif 000025
【図１７】
2018046398.tif 000026
【図１８】
2018046398.tif 000027